(57)【特許請求の範囲】
【請求項１】
設計データを格納する計算機援用設計装置と、
前記設計データを取得し、当該設計データの形状および付帯情報を抽出して抽出データとして出力する形状および付帯情報抽出部と、
前記抽出データと当該抽出データに対応する過去の設計データとの差異を示す差分データを抽出する差分確認部と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、
前記リスク抽出データを含み、前記設計データのリスクを明示するリスク明示データを出力するリスク形状明示部とを備え、
選択された前記設計ルールが、所定数より少ない場合、
前記形状および付帯情報抽出部は、前記差分データが示す形状から一定の距離内または同じ平面上における形状および付帯情報を抽出近傍データとして出力し、
前記差分確認部は、前記抽出近傍データと当該抽出近傍データに対応する過去の設計データとの差異を示す差分近傍データを抽出し、
前記リスク抽出部は、前記予め記憶された設計ルールのうち前記差分近傍データに関する設計ルールを選択し、前記差分近傍データが当該設計ルールに合致しているかどうか判定する
ことを特徴とする設計検証支援装置。
【請求項２】
設計データを格納する計算機援用設計装置と、
前記設計データを取得し、当該設計データの形状および付帯情報を抽出して抽出データとして出力する形状および付帯情報抽出部と、
前記抽出データと当該抽出データに対応する過去の設計データとの差異を示す差分データを抽出する差分確認部と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、
前記リスク抽出データを含み、前記設計データのリスクを明示するリスク明示データを出力するリスク形状明示部とを備え、
前記リスク抽出部が、前記差分データ以外の前記設計データに設計変更による影響があると判定した場合、
前記形状および付帯情報抽出部は、前記抽出データから一定の距離内にある前記設計データ、または前記抽出データと接触している前記設計データを設計周辺データとして取得し、当該設計周辺データの形状および付帯情報を抽出して抽出周辺データとして出力し、
前記差分確認部は、前記抽出周辺データと前記抽出周辺データに対応する過去の設計データとの差異を示すデータを生成し、
前記形状および付帯情報抽出部は、前記抽出周辺データと前記抽出周辺データに対応する過去の設計データとの差異を示すデータに前記差分データを加えたデータを差分周辺データとして出力し、
前記リスク抽出部は、前記予め記憶された設計ルールのうち前記差分周辺データに関する設計ルールを選択し、前記差分周辺データが当該設計ルールに合致しているかどうか判定する
ことを特徴とする設計検証支援装置。
【請求項３】
リスク抽出部は、
検証データの形状、材質および寸法のうちの少なくとも一つに基づいて、当該検証データに関する設計ルールを選択する
請求項１または請求項２記載の設計検証支援装置。
【請求項４】
設計データを格納する計算機援用設計装置と、
前記設計データを取得し、当該設計データの形状および付帯情報を抽出して抽出データとして出力する形状および付帯情報抽出部と、
前記抽出データと当該抽出データに対応する過去の設計データとの差異を示す差分データを抽出する差分確認部と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、
前記リスク抽出データを含み、前記設計データのリスクを明示するリスク明示データを出力するリスク形状明示部とを備え、
前記リスク抽出部は、
前記差分データが、所定の面積以上かつ所定の厚さ以上の部分を含む場合、肉厚が変更されたと判定し、肉厚に関する前記設計ルールを選択する
ことを特徴とする設計検証支援装置。
【請求項５】
設計データを格納する計算機援用設計装置と、
前記設計データを取得し、当該設計データの形状および付帯情報を抽出して抽出データとして出力する形状および付帯情報抽出部と、
前記抽出データと当該抽出データに対応する過去の設計データとの差異を示す差分データを抽出する差分確認部と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、
前記リスク抽出データを含み、前記設計データのリスクを明示するリスク明示データを出力するリスク形状明示部とを備え、
前記リスク抽出部は、
前記差分データが、同一または類似形状の削除および追加を含む場合は、部品が移動されたと判定して移動量を算出し、移動量および設置位置のうちの少なくとも一つに関する前記設計ルールを選択する
ことを特徴とする設計検証支援装置。
【請求項６】
設計データを格納する計算機援用設計装置と、
前記設計データを取得し、当該設計データの形状および付帯情報を抽出して抽出データとして出力する形状および付帯情報抽出部と、
前記抽出データと当該抽出データに対応する過去の設計データとの差異を示す差分データを抽出する差分確認部と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、
前記リスク抽出データを含み、前記設計データのリスクを明示するリスク明示データを出力するリスク形状明示部とを備え、
前記リスク抽出部は、
前記差分データが、形状が類似し大きさが異なる複数の外形形状を含む場合、設計変更前後の形状が相似していると判定し、
前記差分確認部は、
形状比率を変更した抽出データを用いて再度差分データを抽出し、
前記リスク抽出部は、
当該差分データに関する前記設計ルールを選択する
ことを特徴とする設計検証支援装置。
【請求項７】
コンピュータが、
設計データを格納し、
前記設計データを取得し、当該設計データの形状および付帯情報を抽出して抽出データとして出力し、
前記抽出データと、当該抽出データに対応する過去の設計データとの差異を示す差分データを抽出し、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力し、
前記リスク抽出データを含み、前記設計データのリスクを明示するリスク明示データを出力し、
選択された前記設計ルールが、所定数より少ない場合、
前記差分データが示す形状から一定の距離内または同じ平面上における形状および付帯情報を抽出近傍データとして出力し、
前記抽出近傍データと当該抽出近傍データに対応する過去の設計データとの差異を示す差分近傍データを抽出し、
前記予め記憶された設計ルールのうち前記差分近傍データに関する設計ルールを選択し、前記差分近傍データが当該設計ルールに合致しているかどうか判定する
ことを特徴とする設計検証支援方法。
【請求項８】
コンピュータが、
設計データを格納し、
前記設計データを取得し、当該設計データの形状および付帯情報を抽出して抽出データとして出力し、
前記抽出データと、当該抽出データに対応する過去の設計データとの差異を示す差分データを抽出し、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力し、
前記リスク抽出データを含み、前記設計データのリスクを明示するリスク明示データを出力し、
前記差分データ以外の前記設計データに設計変更による影響があると判定した場合、
前記抽出データから一定の距離内にある前記設計データ、または前記抽出データと接触している前記設計データを設計周辺データとして取得し、当該設計周辺データの形状および付帯情報を抽出して抽出周辺データとして出力し、
前記抽出周辺データと前記抽出周辺データに対応する過去の設計データとの差異を示すデータを生成し、
前記抽出周辺データと前記抽出周辺データに対応する過去の設計データとの差異を示すデータに前記差分データを加えたデータを差分周辺データとして出力し、
前記予め記憶された設計ルールのうち前記差分周辺データに関する設計ルールを選択し、前記差分周辺データが当該設計ルールに合致しているかどうか判定する
ことを特徴とする設計検証支援方法。
【請求項９】
コンピュータに、
設計データを格納する計算機援用設計処理と、
前記設計データを取得し、当該設計データの形状および付帯情報を抽出して抽出データとして出力する形状および付帯情報抽出処理と、
前記抽出データと、当該抽出データに対応する過去の設計データとの差異を示す差分データを抽出する差分確認処理と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出処理と、
前記リスク抽出データを含み、前記設計データのリスクを明示するリスク明示データを出力するリスク形状明示処理とを実行させ、
選択された前記設計ルールが、所定数より少ない場合、
前記形状および付帯情報抽出処理で、前記差分データが示す形状から一定の距離内または同じ平面上における形状および付帯情報を抽出近傍データとして出力させ、
前記差分確認処理で、前記抽出近傍データと当該抽出近傍データに対応する過去の設計データとの差異を示す差分近傍データを抽出させ、
前記リスク抽出処理で、前記予め記憶された設計ルールのうち前記差分近傍データに関する設計ルールを選択させ、前記差分近傍データが当該設計ルールに合致しているかどうか判定させる
設計検証支援プログラム。
【請求項１０】
コンピュータに、
設計データを格納する計算機援用設計処理と、
前記設計データを取得し、当該設計データの形状および付帯情報を抽出して抽出データとして出力する形状および付帯情報抽出処理と、
前記抽出データと、当該抽出データに対応する過去の設計データとの差異を示す差分データを抽出する差分確認処理と、
前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出処理と、
前記リスク抽出データを含み、前記設計データのリスクを明示するリスク明示データを出力するリスク形状明示処理とを実行させ、
前記リスク抽出処理で、前記差分データ以外の前記設計データに設計変更による影響があると判定した場合、
前記形状および付帯情報抽出処理で、前記抽出データから一定の距離内にある前記設計データ、または前記抽出データと接触している前記設計データを設計周辺データとして取得させ、当該設計周辺データの形状および付帯情報を抽出して抽出周辺データとして出力させ、
前記差分確認処理で、前記抽出周辺データと前記抽出周辺データに対応する過去の設計データとの差異を示すデータを生成させ、
前記形状および付帯情報抽出処理で、前記抽出周辺データと前記抽出周辺データに対応する過去の設計データとの差異を示すデータに前記差分データを加えたデータを差分周辺データとして出力させ、
前記リスク抽出処理で、前記予め記憶された設計ルールのうち前記差分周辺データに関する設計ルールを選択させ、前記差分周辺データが当該設計ルールに合致しているかどうか判定させる
設計検証支援プログラム。
【発明の詳細な説明】
【技術分野】
【０００１】
本発明は、設計データの検証に用いられる設計検証支援装置に関する。
【背景技術】
【０００２】
一般的な設計データにおいて、設計における変化点は設計者のみが知る情報である。しかし、初級設計技術者は、設計における変化点のうち、本来設計検証するべき危険度の判断ができない場合があり、自身では十分な設計検証ができない場合がある。また、上級設計者が他の設計者の設計をチェックする場合においては、膨大な設計変化点のうち、設計者が告知した大きな設計変更点や危険度が高いと判断した点を中心にチェックを行う。その場合、告知された点が不十分であれば、チェック漏れが生じ、設計ミスが見逃される可能性がある。
【０００３】
上記のような問題点を解決するためにシステムを用いて設計検証を行う一般的な技術として、例えば、設計された形状から設計ルールを抽出し、点検項目を提示する技術がある。例えば、特許文献１には、予め定めた推奨値と、推奨値に対応する設計値とを比較し、判定結果を提示することで、設計支援を行う技術が開示されている。
【先行技術文献】
【特許文献】
【０００４】
【特許文献１】特開２００２−２３００４１号公報
【発明の概要】
【発明が解決しようとする課題】
【０００５】
しかし、一般的なシステムを用いた設計検証において、設計ルールが充実しデータベース内の設計ルール数が増大してくると、大量の点検項目が提示されることとなる。そのため、設計者やレビュー者に対する負担が大きくなり、開発リードタイムが長くなったり、多数の人員による検証が必要となったりするという課題がある。また、検証数が増えると点検漏れが発生する恐れがあるという課題がある。
【０００６】
そこで、本発明は、設計検証において確認するべき対象を容易に判別することができる設計検証支援装置を提供することを目的とする。
【課題を解決するための手段】
【０００７】
本発明による設計検証支援装置は、設計データを格納する計算機援用設計装置と、前記設計データを取得し、当該設計データの形状および付帯情報を抽出して抽出データとして出力する形状および付帯情報抽出部と、前記抽出データと当該抽出データに対応する過去の設計データとの差異を示す差分データを抽出する差分確認部と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、前記リスク抽出データを含み、前記設計データのリスクを明示するリスク明示データを出力するリスク形状明示部とを備え、選択された前記設計ルールが、所定数より少ない場合、前記形状および付帯情報抽出部は、前記差分データが示す形状から一定の距離内または同じ平面上における形状および付帯情報を抽出近傍データとして出力し、前記差分確認部は、前記抽出近傍データと当該抽出近傍データに対応する過去の設計データとの差異を示す差分近傍データを抽出し、前記リスク抽出部は、前記予め記憶された設計ルールのうち前記差分近傍データに関する設計ルールを選択し、前記差分近傍データが当該設計ルールに合致しているかどうか判定することを特徴とする。
また、本発明による設計検証支援装置は、設計データを格納する計算機援用設計装置と、前記設計データを取得し、当該設計データの形状および付帯情報を抽出して抽出データとして出力する形状および付帯情報抽出部と、前記抽出データと当該抽出データに対応する過去の設計データとの差異を示す差分データを抽出する差分確認部と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、前記リスク抽出データを含み、前記設計データのリスクを明示するリスク明示データを出力するリスク形状明示部とを備え、前記リスク抽出部が、前記差分データ以外の前記設計データに設計変更による影響があると判定した場合、前記形状および付帯情報抽出部は、前記抽出データから一定の距離内にある前記設計データ、または前記抽出データと接触している前記設計データを設計周辺データとして取得し、当該設計周辺データの形状および付帯情報を抽出して抽出周辺データとして出力し、前記差分確認部は、前記抽出周辺データと前記抽出周辺データに対応する過去の設計データとの差異を示すデータを生成し、前記形状および付帯情報抽出部は、前記抽出周辺データと前記抽出周辺データに対応する過去の設計データとの差異を示すデータに前記差分データを加えたデータを差分周辺データとして出力し、前記リスク抽出部は、前記予め記憶された設計ルールのうち前記差分周辺データに関する設計ルールを選択し、前記差分周辺データが当該設計ルールに合致しているかどうか判定することを特徴とする。
また、本発明による設計検証支援装置は、設計データを格納する計算機援用設計装置と、前記設計データを取得し、当該設計データの形状および付帯情報を抽出して抽出データとして出力する形状および付帯情報抽出部と、前記抽出データと当該抽出データに対応する過去の設計データとの差異を示す差分データを抽出する差分確認部と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、前記リスク抽出データを含み、前記設計データのリスクを明示するリスク明示データを出力するリスク形状明示部とを備え、前記リスク抽出部は、前記差分データが、所定の面積以上かつ所定の厚さ以上の部分を含む場合、肉厚が変更されたと判定し、肉厚に関する前記設計ルールを選択することを特徴とする。
また、本発明による設計検証支援装置は、設計データを格納する計算機援用設計装置と、前記設計データを取得し、当該設計データの形状および付帯情報を抽出して抽出データとして出力する形状および付帯情報抽出部と、前記抽出データと当該抽出データに対応する過去の設計データとの差異を示す差分データを抽出する差分確認部と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、前記リスク抽出データを含み、前記設計データのリスクを明示するリスク明示データを出力するリスク形状明示部とを備え、前記リスク抽出部は、前記差分データが、同一または類似形状の削除および追加を含む場合は、部品が移動されたと判定して移動量を算出し、移動量および設置位置のうちの少なくとも一つに関する前記設計ルールを選択することを特徴とする。
また、本発明による設計検証支援装置は、設計データを格納する計算機援用設計装置と、前記設計データを取得し、当該設計データの形状および付帯情報を抽出して抽出データとして出力する形状および付帯情報抽出部と、前記抽出データと当該抽出データに対応する過去の設計データとの差異を示す差分データを抽出する差分確認部と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出部と、前記リスク抽出データを含み、前記設計データのリスクを明示するリスク明示データを出力するリスク形状明示部とを備え、前記リスク抽出部は、前記差分データが、形状が類似し大きさが異なる複数の外形形状を含む場合、設計変更前後の形状が相似していると判定し、前記差分確認部は、形状比率を変更した抽出データを用いて再度差分データを抽出し、前記リスク抽出部は、当該差分データに関する前記設計ルールを選択することを特徴とする。
【０００８】
本発明による設計検証支援方法は、コンピュータが、設計データを格納し、前記設計データを取得し、当該設計データの形状および付帯情報を抽出して抽出データとして出力し、前記抽出データと、当該抽出データに対応する過去の設計データとの差異を示す差分データを抽出し、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力し、前記リスク抽出データを含み、前記設計データのリスクを明示するリスク明示データを出力し、選択された前記設計ルールが、所定数より少ない場合、前記差分データが示す形状から一定の距離内または同じ平面上における形状および付帯情報を抽出近傍データとして出力し、前記抽出近傍データと当該抽出近傍データに対応する過去の設計データとの差異を示す差分近傍データを抽出し、前記予め記憶された設計ルールのうち前記差分近傍データに関する設計ルールを選択し、前記差分近傍データが当該設計ルールに合致しているかどうか判定することを特徴とする。
また、本発明による設計検証支援方法は、コンピュータが、設計データを格納し、前記設計データを取得し、当該設計データの形状および付帯情報を抽出して抽出データとして出力し、前記抽出データと、当該抽出データに対応する過去の設計データとの差異を示す差分データを抽出し、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力し、前記リスク抽出データを含み、前記設計データのリスクを明示するリスク明示データを出力し、前記差分データ以外の前記設計データに設計変更による影響があると判定した場合、前記抽出データから一定の距離内にある前記設計データ、または前記抽出データと接触している前記設計データを設計周辺データとして取得し、当該設計周辺データの形状および付帯情報を抽出して抽出周辺データとして出力し、前記抽出周辺データと前記抽出周辺データに対応する過去の設計データとの差異を示すデータを生成し、前記抽出周辺データと前記抽出周辺データに対応する過去の設計データとの差異を示すデータに前記差分データを加えたデータを差分周辺データとして出力し、前記予め記憶された設計ルールのうち前記差分周辺データに関する設計ルールを選択し、前記差分周辺データが当該設計ルールに合致しているかどうか判定することを特徴とする。
【０００９】
本発明による設計検証支援プログラムは、コンピュータに、設計データを格納する計算機援用設計処理と、前記設計データを取得し、当該設計データの形状および付帯情報を抽出して抽出データとして出力する形状および付帯情報抽出処理と、前記抽出データと、当該抽出データに対応する過去の設計データとの差異を示す差分データを抽出する差分確認処理と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出処理と、前記リスク抽出データを含み、前記設計データのリスクを明示するリスク明示データを出力するリスク形状明示処理とを実行させ、選択された前記設計ルールが、所定数より少ない場合、前記形状および付帯情報抽出処理で、前記差分データが示す形状から一定の距離内または同じ平面上における形状および付帯情報を抽出近傍データとして出力させ、前記差分確認処理で、前記抽出近傍データと当該抽出近傍データに対応する過去の設計データとの差異を示す差分近傍データを抽出させ、前記リスク抽出処理で、前記予め記憶された設計ルールのうち前記差分近傍データに関する設計ルールを選択させ、前記差分近傍データが当該設計ルールに合致しているかどうか判定させることを特徴とする。
また、本発明による設計検証支援プログラムは、コンピュータに、設計データを格納する計算機援用設計処理と、前記設計データを取得し、当該設計データの形状および付帯情報を抽出して抽出データとして出力する形状および付帯情報抽出処理と、前記抽出データと、当該抽出データに対応する過去の設計データとの差異を示す差分データを抽出する差分確認処理と、前記差分データを検証データとして入力し、予め記憶された設計ルールのうち当該検証データに関する設計ルールを選択し、当該検証データに基づいて設計意図に関係する物性値の変化量を演算し、当該検証データ、当該設計ルールおよび当該物性値の変化量を含むリスク抽出データを出力するリスク抽出処理と、前記リスク抽出データを含み、前記設計データのリスクを明示するリスク明示データを出力するリスク形状明示処理とを実行させ、前記リスク抽出処理で、前記差分データ以外の前記設計データに設計変更による影響があると判定した場合、前記形状および付帯情報抽出処理で、前記抽出データから一定の距離内にある前記設計データ、または前記抽出データと接触している前記設計データを設計周辺データとして取得させ、当該設計周辺データの形状および付帯情報を抽出して抽出周辺データとして出力させ、前記差分確認処理で、前記抽出周辺データと前記抽出周辺データに対応する過去の設計データとの差異を示すデータを生成させ、前記形状および付帯情報抽出処理で、前記抽出周辺データと前記抽出周辺データに対応する過去の設計データとの差異を示すデータに前記差分データを加えたデータを差分周辺データとして出力させ、前記リスク抽出処理で、前記予め記憶された設計ルールのうち前記差分周辺データに関する設計ルールを選択させ、前記差分周辺データが当該設計ルールに合致しているかどうか判定させることを特徴とする。
【発明の効果】
【００１０】
本発明によれば、設計検証にて確認するべき対象を容易に判別することができる。
【図面の簡単な説明】
【００１１】
【図１】本発明による設計検証支援装置の第１の実施形態の構成を示すブロック図である。
【図２】設計データの例を示す説明図である。
【図３】差分確認部による差分データの作成動作の例を示す説明図である。
【図４】リスク抽出部による差分データに適合する設計ルールの選択手順を示す説明図である。
【図５】リスク形状明示部が明示するリスク明示データの例を示す説明図である。
【図６】設計ルールの関連情報の例を示す説明図である。
【図７】本発明による設計検証支援装置の第１の実施形態の動作を示すフローチャートである。
【図８】差分近傍データの作成の流れを示すブロック図である。
【図９】差分周辺データの作成の流れを示すブロック図である。
【図１０】本発明による設計検証支援装置の第３の実施形態の動作を示すフローチャートである。
【図１１】所定の面積以上かつ所定の厚さ以上の形状を含む差分データの例を示す説明図である。
【図１２】同一形状の構成を移動した場合の差分データの例を示す説明図である。
【図１３】空中浮遊した差分データと周辺部分を含めた差分データの例を示す説明図である。
【図１４】形状が類似し大きさが異なる複数の外形形状である差分データの例を示す説明図である。
【発明を実施するための形態】
【００１２】
実施形態１．
本発明による設計検証支援装置の第１の実施形態（実施形態１）を、図面を参照して詳細に説明する。図１は、本実施形態の設計検証支援装置の構成を示すブロック図である。図１に示すように、本実施形態の設計検証支援装置は、計算機援用設計装置（Ｃｏｍｐｕｔｅｒ  Ａｉｄｅｄ  Ｄｅｓｉｇｎ。以下、ＣＡＤと記載する）１１、形状および付帯情報抽出部１２、過去製品データベース１３、差分確認部１４、設計ルールデータベース１５、リスク抽出部１６、およびリスク形状明示部１７を備える。なお、上記の過去製品データベース１３および設計ルールデータベース１５を除く各構成要素は、プログラムに基づいて処理を実行するＣＰＵで実現可能である。
【００１３】
ＣＡＤ１１は、設計データを格納している。形状および付帯情報抽出部１２は、ＣＡＤ１１から、設計データＤ２１を取得し、形状や寸法などの付帯情報を読み取る。図２は、設計データＤ２１の例を示す説明図である。図２に示すように、設計データＤ２１は、例えば、形状を示す画像データと、材料情報、寸法情報、幾何公差、表面仕上げ情報および加工方法等の付帯情報とを含む。形状および付帯情報抽出部１２は、図２に示すような形状および付帯情報を設計データＤ２１から抽出し、抽出データＤ２２として記録する。
【００１４】
差分確認部１４は、抽出データＤ２２を取得する。そして、差分確認部１４は、形状の類似判断機能を用い、過去製品データベース１３に格納されている過去設計データＤ２３と抽出データＤ２２とを比較し、対応する過去設計データＤ２３を決定する。具体的には、差分確認部１４は、例えば量産実績のある過去設計データＤ２３のうち抽出データＤ２２と最も近い（類似する）形状のデータを１つまたは複数決定する。そして、差分確認部１４は、抽出データＤ２２と、決定した過去設計データＤ２３との差異を示す差分データＤ２４を作成する。図３は、差分確認部１４による差分データＤ２４の作成動作の例を示す説明図である。差分データＤ２４は、形状の差異だけでなく、材質や寸法などの付帯情報の変化量も含む。
【００１５】
リスク抽出部１６は、差分データＤ２４の形状認識を行い、設計変更によって生じた物性値の変化量や、強度、重量、重心の位置などの主要な特性値の変化量を演算し、差分データＤ２４の特性値および演算した変化量を、リスク抽出データＤ２６に含めて出力する。そして、リスク抽出部１６は、その変化量を参照することで、設計変更意図に従った物性値変化となっているか判断できる。また設計変更量の多い部分や特性値の変化が大きい部分は、検証が必要となる可能性が高いと判断できる。また、リスク抽出部１６は、この特性値または特性値の変化量に応じてリスクの重みつけを行い、リスク抽出データＤ２６に含めて出力する。
【００１６】
上記の物性値の変化量の演算において、リスク抽出部１６は、具体的には変更されたデータから設計者の設計意図を推測し、その設計意図に関係する物性値の変化量を演算する。そして、リスク抽出部１６は、演算した変化量をリスク抽出データＤ２６に含めて出力する。例えば、リブが追加された場合、設計者の意図は強度アップであると推測されるので、設計意図の検証として強度の変化量を出力し、付随の検証（負の効果）として、重量の変化量（増加量）を出力する。また、例えば、鉄からアルミに材質変更された場合、設計者の意図は軽量化であると推測されるので、設計意図の検証として、重量の変化量を出力し、付随の検証（負の効果）として強度の変化量（低下量）を出力する。
【００１７】
また、例えば、類似形状の追加と削除が同時にされた場合、設計者の意図は移動であると推測されるので、設計意図の検証として移動量を出力し、付随の検証として、関連部品の位置を出力する。また、例えば、形状が類似し大きさが異なる複数の外形形状を含む場合、設計者の意図はその形状の拡大または縮小であると推測されるので、設計検証として、容量の変化量を出力し、付随の検証として、重量の変化量を出力する。
【００１８】
リスク抽出部１６は、差分データＤ２４の形状認識を行い、縦横比や配置情報、サイズなどから特徴を形式化する。そして、リスク抽出部１６は、差分データＤ２４に含まれる形状、ならびに材質および寸法等の付帯情報に基づいて、設計ルールデータベース１５に格納された設計ルールＤ２５の中から、差分データＤ２４に適合する設計ルールＤ２５を選択し、抽出する。図４は、リスク抽出部１６による差分データＤ２４に適合する設計ルールＤ２５の選択手順を示す説明図である。
【００１９】
また、リスク抽出部１６は、差分データＤ２４が設計ルールＤ２５で決められた寸法範囲、形状などと合致しているかどうかの判定を行う。設計ルールＤ２５は、例えば、寸法および形状に関する定数、数式、範囲指定、および条件分岐、ならびに付属部品の有無などを含む。リスク抽出部１６は、差分データＤ２４および設計ルールＤ２５を含むリスク抽出データＤ２６を出力する。この際、リスク抽出部１６は、差分データＤ２４のうち設計ルールＤ２５に合致している部分を示す情報や、設計ルールＤ２５に合致しているかどうかの程度を示す情報をリスク抽出データＤ２６に含めてもよい。また、リスク抽出部１６は、設計ルールＤ２５に合致している程度によるリスク重みつけを行ってもよい。
【００２０】
リスク形状明示部１７は、リスク抽出データＤ２６にしたがって、リスクのある部分を明示的に変化させた設計データＤ２１を、設計ルールＤ２５とともにリスク明示データＤ２７として登録し、ＣＡＤ１１に出力する。ＣＡＤ１１は、出力されたリスク明示データＤ２７を表示する。リスクのある部分とは、例えば、差分データＤ２４に相当する部分である。また、リスクのある部分として、差分データＤ２４のうち設計ルールＤ２５に合致していない部分のみを明示的に変化させてもよい。差分形状のうち設計ルールＤ２５に合致していない部分を明示的に変化させることで設計検証を行う箇所をさらに絞りこむことができる。
【００２１】
図５は、リスク形状明示部１７が明示するリスク明示データＤ２７の例を示す説明図である。図５（ａ）は、差分形状を明示的に変化させた設計データＤ２１、および設計ルールＤ２５を含むリスク明示データＤ２７の例を示す説明図である。また、リスク形状明示部１７は、図５（ａ）で示したリスク明示データＤ２７とともに上記の特性値、変化量およびリスク重みづけを表示させてもよい。図５（ｂ）は、変化量の表示例を示す説明図である。リスク形状明示部１７は、図５（ｂ）に示すように、変化量とともに過去設計データＤ２３および設計データＤ２１の画像および物性値を表示してもよい。
【００２２】
また、リスク抽出部１６は、差分データＤ２４と、選択した設計ルールＤ２５と合致しているかどうかの判定を行う際、設計ルールＤ２５に関連付けられた情報も合わせて判定を行ってもよい。図６は、設計ルールＤ２５の関連情報の例を示す説明図である。リスク形状明示部１７は、図６に示すように設計ルールともに関連情報を表示してもよい。
【００２３】
次に、本実施形態の設計検証支援装置の動作を説明する。図７は、本実施形態の設計検証支援装置の動作を示すフローチャートである。例えば利用者から設計検証の指示がされた場合、形状および付帯情報抽出部１２は、ＣＡＤ１１から設計データＤ２１を取得する（ステップＳ１）。そして、形状および付帯情報抽出部１２は、設計データＤ２１の形状や寸法などの付帯情報を読み取る（ステップＳ２）。
【００２４】
次に、差分確認部１４は、形状の類似判断機能を用い、過去製品データベース１３内のデータと抽出データＤ２２とを比較し、抽出データＤ２２と最も近い（類似する）形状の過去設計データＤ２３を１つまたは複数決定する（ステップＳ３）。そして、差分確認部１４は、設計データＤ２１と、ステップＳ３で決定した過去設計データＤ２３との差異を示す差分データＤ２４を作成する（ステップＳ４）。
【００２５】
次に、リスク抽出部１６は、設計ルールデータベース１５に格納された設計ルールＤ２５の中から、形状、ならびに材質および寸法等の付帯情報に基づいて、差分データＤ２４に適合する設計ルールＤ２５を選択する（ステップＳ５）。リスク抽出部１６は、差分データＤ２４と、選択した設計ルールＤ２５と合致しているかどうかの判定を行う（ステップＳ６）。また、リスク抽出部１６は、設計変更によって生じた物性値や、強度、重量、重心の位置、熱特性、電気特性などの主要な特性値の変化量を演算してもよい。
【００２６】
そして、リスク抽出部１６は、差分データＤ２４の特性値によるリスク重みつけ、特性値の変化量の大きさによるリスク重みつけ、および設計ルールＤ２５に合致している程度によるリスク重みつけを行う。そして、リスク抽出部１６は、差分データＤ２４および設計ルールＤ２５等を含むリスク抽出データＤ２６を出力する。（ステップＳ７）。リスク抽出データＤ２６は、上記特性値、変化量、ルールに合致している程度、およびこれらに基づくリスク重みづけを含んでいてもよい。
【００２７】
次に、リスク形状明示部１７は、リスク抽出データＤ２６にしたがって、リスクのある部分を明示的に変化させた設計データＤ２１を、設計ルールＤ２５とともにリスク明示データＤ２７として登録し、ＣＡＤ１１に出力する（ステップＳ８）。リスクのある部分とは、例えば、差分データＤ２４に相当する部分や、差分データＤ２４のうち設計ルールＤ２５に合致していない部分である。リスクのある部分とは、例えば、差分データＤ２４に相当する部分である。また、リスクのある部分として、差分データＤ２４のうち設計ルールＤ２５に合致していない部分のみを明示的に変化させてもよい。
【００２８】
リスク形状明示部１７は、リスク明示データＤ２７として、上記特性値や変化量を含めてもよい。また、設計ルールＤ２５に合致していない部分において、適合しなかった上記変化量を提示してもよい。適合しなかった上記変化量を設計検証者に提示することで、利用者は、どの程度適合していないか定量的に判断することができる。
【００２９】
本実施形態の設計検証支援装置によれば、設計データのうち、設計検証にて確認するべき対象を容易に判別することができる。具体的には、設計データのうち、過去設計データと比べ変化した部分、特性値の変化が大きく品質に影響する可能性が高い部分、設計ルールに従わない部分など、真に問題が発生しうる可能性が高い部分が明確になる。そして、その内容を明示することで、設計者を含むすべての設計検証者が知ることができる。また、設計データＤ２１と過去設計データＤ２３との差分に基づいてリスクを明示するので、点検項目が必要最小限となり、設計検証者が、必要十分な点検箇所のみを判断することが可能となるので、設計レビュー時の点検漏れ防止とレビュー時間の削減が可能となる。
【００３０】
また、リスク明示データＤ２７に変化量を含む場合、設計検証者が、設計変更の内容に関係する剛性、重量等の物性値の変化量を知ることが可能となる。この変化量は、設計変更の内容に基づいて設計者の設計意図を推測して、その設計意図に関係する物性値の変化量を出力したものなので、設計検証者は、この変化量を参照することにより設計変更によるリスクおよび効果を確認することができる。また、適合しなかった上記変化量を設計検証者に提示することで、利用者は、どの程度適合していないか定量的に判断することができる。これにより、設計検証者は、設計変更によるリスクの検証をすることも容易となり、効果的なレビューの実施が可能となる。
【００３１】
実施形態２．
以下、本発明による設計検証支援装置の第２の実施形態（実施形態２）を、図面を参照して詳細に説明する。なお、本実施形態において、特に説明しない構成および動作は、第１の実施形態と同じであるものとする。
【００３２】
リスク抽出部１６は、第１の実施形態と同様に、差分データＤ２４と設計ルールＤ２５とが合致しているかどうかの判定を行う。その際、差分データＤ２４だけでなく、差分データＤ２４の近傍形状である差分近傍データも、設計ルールＤ２５と合致しているかの判定を行う。以下、差分近傍データの生成動作を詳細に説明する。
【００３３】
図８は、差分近傍データＤ３４の作成の流れを示すブロック図である。図８において、データ以外の構成は、図１に示した第１の実施形態の構成と同じである。また、図８において、差分近傍データＤ３４の作成に関するデータ以外のデータの図示は省略されている。
【００３４】
リスク抽出部１６は、選択された設計ルールＤ２５が、ある数を下回った場合、形状および付帯情報抽出部１２に、近傍データ指示Ｄ３８を送信する。そして、形状および付帯情報抽出部１２は、対象となる差分データＤ２４から一定の距離の形状、同じ平面の形状、差分ではない材質などの付帯情報を、抽出近傍データＤ３２として差分確認部１４に送る。そして、差分確認部１４は、抽出近傍データＤ３２と過去設計データＤ２３との差異を示す差分近傍データＤ３４を作成する。そして、リスク抽出部１６は、差分近傍データＤ３４に適合する設計ルールＤ２５を選択し、合致しているかどうかの判定を行う。
【００３５】
また、リスク抽出部１６は、差分データＤ２４と設計ルールＤ２５との合致判定を行う際に、差分データＤ２４と影響があると判定された差分データＤ２４の周辺情報である差分周辺データを作成し、設計ルールＤ２５との合致判定を行ってもよい。
【００３６】
図９は、差分周辺データＤ４４の作成の流れを示すブロック図である。リスク抽出部１６は、選択された設計ルールＤ２５と差分データＤ２４との合致判定において、差分データＤ２４以外の設計データＤ２１に影響があると判定した場合は、ＣＡＤ１１に周辺データ指示Ｄ４８を送信する。そして、ＣＡＤ１１は、格納している設計データＤ２１のうち、抽出データＤ２２から一定の距離にある設計データＤ２１または接触している設計データＤ２１を設計周辺データＤ４１として格納する。
【００３７】
形状および付帯情報抽出部１２は、設計周辺データＤ４１を取得する。そして、形状および付帯情報抽出部１２は、設計周辺データＤ４１の形状および付帯情報を読み取り、抽出周辺データＤ４２として出力する。差分確認部１４は、抽出周辺データＤ４２と対応する過去設計データとの差異を示すデータを生成する。そして、形状および付帯情報抽出部１２は、生成されたデータに差分データＤ２４に加えたものを、新たに差分周辺データＤ４４として出力する。そして、リスク抽出部１６は、差分周辺データＤ４４に適合する設計ルールＤ２５を選択し、合致しているかどうかの判定を行う。
【００３８】
以上のように、本実施形態の設計検証支援装置は、選択された設計ルールＤ２５が少ない場合、抽出近傍データＤ３２に基づいて差分近傍データＤ３４を作成するので、適切な設計ルールＤ２５を選択することができる。
【００３９】
また、本実施形態の設計検証支援装置は、差分データＤ２４の周辺のデータも設計ルールＤ２５との合致判定を行う。そのため、設計変更により影響のある部分も検証できるので、差分のみを検証する場合と比べ、設計検証における点検漏れをより削減することができる。
【００４０】
実施形態３．
実施形態１および実施形態２のリスク抽出部１６の処理において、差分データＤ２４が複雑な形状のため、膨大な設計ルールが抽出される場合、または単純な形状を抽出することで、設計ルールＤ２５が合致しない場合がある。本実施形態の設計検証支援装置は、そのような場合に所定の処理を設計ルール抽出の前処理または後処理として実施する。なお、本実施形態の設計検証支援装置の構成は、第１の実施形態または第２の実施形態で示した構成と同じであるとする。
【００４１】
以下、本実施形態の動作を説明する。図１０は、本実施形態の設計検証支援装置の動作を示すフローチャートである。リスク抽出部１６は、差分確認部１４により作成された差分データＤ２４を認識する（ステップＳ１１）。リスク抽出部１６は、図１１に示すように、差分データＤ２４に、所定の面積以上かつ所定の厚さ以上の形状が存在した場合は（ステップＳ１２）、肉厚の変更と判断し、肉厚に関する設計ルールＤ２５を選択する（ステップＳ１３）。肉厚に関する設計ルールＤ２５は、肉厚の変更により必要となる検討項目のみを含むため、通常の設計ルールＤ２５よりも簡略的である。
【００４２】
図１１は、所定の面積以上かつ所定の厚さ以上の形状を含む差分データＤ２４の例を示す説明図である。図１１に示すように、肉厚の変更により大きな差分データＤ２４が抽出されても、肉厚に関する設計ルールＤ２５を適用することで、通常の設計ルールＤ２５を用いるよりも検証が簡略化できる。
【００４３】
また、リスク抽出部１６は、厚さの減少等により差分データＤ２４の差分がマイナスとなる場合は、差分箇所の色を変えたり点滅または破線を用いたりするなどの表示方法の変更を行う。利用者は、表示方法の違いを確認することで、肉厚の増減を容易に見分けることが可能となる。
【００４４】
図１２は、同一形状の構成を移動した場合の差分データＤ２４の例を示す説明図である。図１２に示すように、リスク抽出部１６は、差分データＤ２４参照し、一定以上の数の同一形状の削除、追加等が存在するかどうか判定する（ステップＳ１４）。ステップＳ１４の判定がＹＥＳである場合、リスク抽出部１６は、部品の移動と判定して移動距離を算出する。そして、リスク抽出部１６は、形状の移動に関する設計ルールＤ２５を選択する（ステップＳ１５）。部品の移動に関する設計ルールＤ２５は、例えば、移動量または設置場所など移動に関する禁止事項のみを含み、移動した部品単体の検証などの不必要な設計ルールの提示を排除したものである。これにより、通常の設計ルールＤ２５を用いるよりも検証が簡略化できる。
【００４５】
また、差分がマイナスの場合は、図１２に示すように追加部分と削除部分の色を変えたり、点滅または破線を用いたりするなど、表示方法の変更を行う。利用者は、表示方法の違いを確認することで、削除された部分と追加された部分とが容易に見分けられ、移動した方向が分かる。
【００４６】
また、差分データが所定の体積以下である等の形状特徴により設計ルールが抽出できない場合、以下の処理を行うことで、設計ルールを抽出することが可能とする。図１３は、空中浮遊した差分データＤ２４と周辺部分を含めた差分データＤ２４の例を示す説明図である。図１３に示す差分データＤ２４は、一定量以下の体積であり、隣接する形状と接続されず、ある距離を持って空中に浮遊している。リスク抽出部１６は、差分データＤ２４が、他の構成と所定の距離以上離れて空中に浮遊しているかどうか判定する（ステップＳ１６）。
【００４７】
ステップＳ１６の判定がＹＥＳである場合、差分確認部１４は、対象形状から一定距離、一定形状の周辺部を含めて、再度差分確認を行う。リスク抽出部１６は、設計ルールを選択する（ステップＳ１７）。これにより、適正な設計ルールＤ２５を抽出することができる。図１３（ｂ）は、再度確認をして得られた差分データＤ２４である。図１３（ａ）では、差分データから設計ルールが抽出できないが、図１３（ｂ）では、面の方向からツメ形状による締結要素と判断することができる。
【００４８】
次に、差分データＤ２４として形状が類似し大きさが異なる複数の外形形状が表示されているかどうか判定する（ステップＳ１８）。図１４は、形状が類似し大きさが異なる複数の外形形状である差分データＤ２４の例を示す説明図である。図１４に示すように、差分データＤ２４として、形状が類似し大きさが異なる複数の外形形状（相似形）が表示されている場合は、大きさの比率を変更する設計変更である可能性が高い。そのため、差分確認部１４は、抽出データＤ２２の比率変更を行い、差分データＤ２４を再計算する。そして、リスク抽出部１６は、再計算された差分データＤ２４に基づいて設計ルールＤ２５を選択する（ステップＳ１９）。なお、形状が類似するかどうかの判断において、例えば、同一形状の範囲が所定の割合以上であれば類似すると判断する。
【００４９】
抽出データＤ２２の比率変更をしたことにより、再計算された差分データＤ２４は、再計算前の差分データＤ２４よりも小さいデータとなる。これにより、リスク抽出部１６は、簡略化された、適正な設計ルールＤ２５を取得することができる。差分がマイナスの場合は、色を変えたり、点滅または破線を用いたりするなど、表示方法の変更を行う。利用者は、表示方法の違いを確認することで、外形の増減を容易に見分けることが可能となる。
【００５０】
本実施形態の設計検証支援装置の動作は、ステップＳ１１〜ステップＳ１９に示した動作を、第１の実施形態のステップＳ５と置き換えたものとする。または、第１の実施形態のステップＳ５を実施した後に、設計ルールＤ２５の数が膨大であった場合にステップＳ１１〜ステップＳ１９の動作を行い、選択した設計ルールＤ２５をステップＳ５で選択した設計ルールＤ２５と置き換えてもよい。
【００５１】
本実施形態の設計検証支援装置によれば、特定の条件化において、適切な設計ルールを選択することができるので、不必要な設計ルールの提示をすることなく、設計検証を効率化することができる。
【００５２】
また、上記の実施形態では、以下の（１）〜（８）に示すような設計検証支援装置も開示されている。
【００５３】
（１）設計データを格納する計算機援用設計装置（例えば、ＣＡＤ１１）と、前記設計データ（例えば、設計データＤ２１）を取得し、当該設計データの形状および付帯情報を抽出して抽出データ（例えば、抽出データＤ２２）として出力する形状および付帯情報抽出部（例えば、形状および付帯情報抽出部１２）と、前記抽出データと当該抽出データに対応する過去の設計データとの差異を示す差分データ（例えば、差分データＤ２４）を抽出する差分確認部（例えば、差分確認部１４）と、前記差分データまたは前記差分データに当該差分データの周辺部分を追加したデータ（例えば、差分近傍データＤ３４、差分周辺データＤ４４、または差分近傍データＤ３４および差分周辺データＤ４４）を検証データとして入力し、予め記憶された設計ルール（例えば、設計ルールＤ２５）のうち当該検証データと適合する設計ルールを選択し、当該検証データに基づいて設計意図に関係する物性値の変化量を演算し、当該検証データ、当該設計ルールおよび当該物性値の変化量を含むリスク抽出データ（例えば、リスク抽出データＤ２６）を出力するリスク抽出部（例えば、リスク抽出部１６）と、前記リスク抽出データを含み、前記設計データのリスクを明示するリスク明示データ（例えば、リスク明示データＤ２７）を出力するリスク形状明示部（例えば、リスク形状明示部１７）とを備えた設計検証支援装置。
【００５４】
（２）設計検証支援装置は、リスク抽出部が、検証データの形状、材質および寸法のうちの少なくとも一つに基づいて、適合する設計ルールを選択するように構成されていてもよい。
【００５５】
（３）設計検証支援装置は、リスク抽出部が、差分データが、所定の面積以上かつ所定の厚さ以上の部分を含む場合、肉厚が変更されたと判定し、肉厚に関する設計ルールを選択するように構成されていてもよい。このような設計検証支援装置によれば、通常の設計ルールを用いるよりも検証が簡略化できる。
【００５６】
（４）設計検証支援装置は、リスク抽出部が、差分データが、同一または類似形状の削除または追加を含む場合は、部品が移動されたと判定して移動量を算出し、移動量および設置位置のうちの少なくとも一つに関する設計ルールを選択するように構成されていてもよい。このような設計検証支援装置によれば、通常の設計ルールを用いるよりも検証が簡略化できる。
【００５７】
（５）設計検証支援装置は、リスク抽出部が、差分データが、形状が類似し大きさが異なる複数の外形形状を含む場合、設計変更前後の形状が相似していると判定し、差分確認部は、形状比率を変更した抽出データを用いて再度差分データを抽出し、リスク抽出部が、当該差分データと適合する設計ルールを選択するように構成されていてもよい。このような設計検証支援装置によれば、通常の設計ルールを用いるよりも検証が簡略化できる。
【００５８】
（６）設計検証支援装置は、リスク抽出データが、検証データが設計ルールに合致している程度を示す情報を含むように構成されていてもよい。このような設計検証支援装置によれば、問題が発生しうる可能性が高い部分をより明確にすることができる。
【００５９】
（７）設計検証支援装置は、リスク抽出データが、抽出データの特性値を含むように構成されていてもよい。
【００６０】
（８）設計検証支援装置は、リスク抽出部が、リスク抽出データに基づいてリスク重みづけを行い、当該リスク重みづけの結果を当該リスク抽出データに追加して出力するように構成されていてもよい。このような設計検証支援装置によれば、複数あるリスクのうち、特に問題が発生しうる可能性が高い部分が明確になる。
【００６１】
（付記１）リスク形状明示部は、リスク重みづけの結果に基づいて、設計データのリスクをリスクが重い順に明示するリスク明示データを出力する。このような設計検証支援装置によれば、複数あるリスクのうち、特に問題が発生しうる可能性が高い部分を利用者が優先的に検討することが容易になる。
【産業上の利用可能性】
【００６２】
本発明は、製品設計の分野全般における設計検証に適用することができる。
【符号の説明】
【００６３】
１２  付帯情報抽出部
１３  過去製品データベース
１４  差分確認部
１５  設計ルールデータベース
１６  リスク抽出部
１７  リスク形状明示部
Ｄ２１  設計データ
Ｄ２２  抽出データ
Ｄ２３  過去設計データ
Ｄ２４  差分データ
Ｄ２５  設計ルール
Ｄ２６  リスク抽出データ
Ｄ２７  リスク明示データ
Ｄ３２  抽出近傍データ
Ｄ３４  差分近傍データ
Ｄ３８  近傍データ指示
Ｄ４１  設計周辺データ
Ｄ４２  抽出周辺データ
Ｄ４４  差分周辺データ
Ｄ４８  周辺データ指示
【図１】
0005998572.tif 000002
【図６】
0005998572.tif 000003
【図７】
0005998572.tif 000004
【図８】
0005998572.tif 000005
【図９】
0005998572.tif 000006
【図１０】
0005998572.tif 000007
【図２】
0005998572.tif 000008
【図３】
0005998572.tif 000009
【図４】
0005998572.tif 000010
【図５】
0005998572.tif 000011
【図１１】
0005998572.tif 000012
【図１２】
0005998572.tif 000013
【図１３】
0005998572.tif 000014
【図１４】
0005998572.tif 000015